(57)【特許請求の範囲】
【請求項１】
前面レンズと、前記前面レンズから後方へ延びるスカートと、前記レンズの周縁部に前記スカートの前端部を固定するレンズフレームと、ヘッドバンドと、前記ヘッドバンドの両端部それぞれを前記レンズフレームの側部に長さ調節可能に連結するバックルとを有するフェイスマスクにおいて、
前記ヘッドバンドが、長さ方向と、幅方向と、これら両方向に直交する厚さ方向とを有し、
前記バックルが、互いに協働して前記ヘッドバンドを狭持する第１支持部と第２支持部とを有し、
前記第１支持部は、前記レンズフレームの側部において後方へ延びる部分によって形成され、前記ヘッドバンドを掛け回すことが可能な前記ヘッドバンドの幅方向へ延びる係合ピンを有し、
前記第２支持部は、前記レンズフレームとは別体に形成されていて前記第１支持部に旋回可能に軸支され、その軸支された部位から後方へ延びる第１腕部に前記掛け回されたヘッドバンドに形成されている第１の係合歯に係脱可能な第２の係合歯を有しており、前記軸支された部位から前方へ延びる第２腕部の先端部分とこれに前記フェイスマスクの前後方向において対向している前記第１支持部の先端部分との間に形成され前記第２支持部の外面に開口する凹部には、前記ヘッドバンドの幅方向へ長く延び、それら先端部分の間で圧縮されて弾性的に変形することにより前記第２支持部を旋回させて前記第１の係合歯と前記第２の係合歯とを係合させ、前記ヘッドバンドの緩み方向への移動を阻止するように作用するばねが挿入されていることを特徴とする前記フェイスマスク。
【請求項２】
前面レンズと、前記前面レンズから後方へ延びるスカートと、前記レンズの周縁部に前記スカートの前端部を固定するレンズフレームと、ヘッドバンドと、前記ヘッドバンドの両端部それぞれを前記レンズフレームの側部に長さ調節可能に連結するバックルとを有するフェイスマスクにおいて、
前記ヘッドバンドが、長さ方向と、幅方向と、これら両方向に直交する厚さ方向とを有し、
前記バックルが、互いに協働して前記ヘッドバンドを狭持する第１支持部と第２支持部とを有し、
前記第１支持部は、前記レンズフレームの側部において後方へ延びる部分によって形成され、前記ヘッドバンドを掛け回すことが可能な前記ヘッドバンドの幅方向へ延びる係合ピンを有し、前記第２支持部は、前記レンズフレームとは別体に形成されていて前記第１支持部に旋回可能に軸支され、その軸支された部位から後方へ延びる第１腕部に前記掛け回されたヘッドバンドに形成されている第１の係合歯に係脱可能な第２の係合歯を有しており、前記軸支された部位から前方へ延びる第２腕部の先端部分とこれに前記フェイスマスクの左右方向において対向している前記第１支持部の先端部分との間に形成され前記バックルの前端面に開口する凹部には、前記ヘッドバンドの幅方向へ長く延び、それら先端部分の間で圧縮されて弾性的に変形することにより前記第２支持部を旋回させて前記第１の係合歯と前記第２の係合歯とを係合させ、前記ヘッドバンドの緩み方向への移動を阻止するように作用するばねが挿入されていることを特徴とする前記フェイスマスク。
【請求項３】
前記ばねが、断面Ｕ字を有する前記ヘッドバンドの幅方向へ長く延びるものである請求項１又は２記載のフェイスマスク。
【請求項４】
前記ばねが、断面矩形を有する前記ヘッドバンドの幅方向へ長く延びるものである請求項１又は２記載のフェイスマスク。
【請求項５】
前記ばねの長さが前記第２の係合歯の長さの１／２以上である請求項１〜４のいずれかに記載のフェイスマスク。
【請求項６】
前記ばねのＵ字の内側には、圧縮可能な弾性部材が装入されている請求項３記載のフェイスマスク。
【請求項７】
前記Ｕ字を有するばねは、前記凹部を形成する壁面に形成された孔に挿入して該凹部から抜け出ることを防止する突起が設けられている請求項３記載のフェイスマスク。
【発明の詳細な説明】
【０００１】
【発明の属する技術分野】
この発明は、ダイビングなどで使用するのに好適なフェイスマスクに関する。
【０００２】
【従来の技術】
従来、ダイビングなどに使用するフェイスマスクにおいて、バックルを介してヘッドバンドを長さ調節可能にフェイスマスクのレンズフレームに連結することはよく知られている。バックルは、例えばレンズフレームの側部において後方へ延びる第１支持部と、この第１支持部に旋回可能に軸支された第２支持部と、これら第１、２支持部でヘッドバンドを挟持できるように第２支持部に作用してこれを旋回させるばねとで構成される。第１、２支持部は、第１支持部がフェイスマスクの内側となり、第２支持部が外側となるように重ね合わされており、ヘッドバンドは、第１支持部に掛け回されている。第２支持部に形成された係合歯は、前記ばねの作用下にヘッドバンドに形成された複数個の係合歯のいずれかと噛み合うことによって、ヘッドバンドの緩み方向への移動を阻止する。
【０００３】
【発明が解決しようとする課題】
前記従来のフェイスマスクのばねには、例えばコイルばねが使用される。このばねは、フェイスマスクの径の内外方向へ延びるように第１、２支持部間に圧縮された状態でセットされる。使用されるコイルばねは、その径と長さとが比較的小さなものであり、これを強く圧縮し、かつ、簡単に外れることがないように第１、２支持部間に取り付けることは、必ずしも容易ではない。また、一度取り付けたばねを点検や交換のために外すということは、それ以上に容易ではない。
【０００４】
この発明が課題とするのは、ばねの取り付け、取り外しが容易なバックルを備えたフェイスマスクの提供である。
【０００５】
【課題を解決するための手段】
前記課題解決のために、この発明が前提とするのは、前面レンズと、前記前面レンズから後方へ延びるスカートと、前記レンズの周縁部に前記スカートの前端部を固定するレンズフレームと、ヘッドバンドと、前記ヘッドバンドの両端部それぞれを前記レンズフレームの側部に長さ調節可能に連結するバックルとを有するフェイスマスクである。
【０００６】
かかる前提において、この発明が特徴とする第１構成は、以下のとおりである。前記ヘッドバンドは、長さ方向と、幅方向と、これら両方向に直交する厚さ方向とを有している。前記バックルは、互いに協働して前記ヘッドバンドを狭持する第１支持部と第２支持部とを有している。前記第１支持部は、前記レンズフレームの側部において後方へ延びる部分によって形成され、前記ヘッドバンドを掛け回すことが可能な前記ヘッドバンドの幅方向へ延びる係合ピンを有している。前記第２支持部は、前記レンズフレームとは別体に形成されていて前記第１支持部に旋回可能に軸支され、その軸支された部位から後方へ延びる第１腕部に前記掛け回されたヘッドバンドに形成されている第１の係合歯に係脱可能な第２の係合歯を有している。前記第２支持部の前記軸支された部位から前方へ延びる第２腕部の先端部分とこれに前記マスクの前後方向において対向している前記第１支持部の先端部分との間に形成され前記第２支持部の外面に開口する凹部には、前記ヘッドバンドの幅方向へ長く延び、それら先端部分の間で圧縮されて弾性的に変形することにより前記第２支持部を旋回させて前記第１の係合歯と前記第２の係合歯とを係合させ、前記ヘッドバンドの緩み方向への移動を阻止するように作用するばねが挿入されている。また、この発明が特徴とする第２構成は、前記凹部が前記軸支された部位から前方へ延びる第２腕部の先端部分とこれに前記フェイスマスクの左右方向において対向している前記第１支持部の先端部分との間に形成され前記バックルの前端面に開口することにある。
【０００７】
かかるこの発明には、次のような好ましい実施態様がある。
（１）前記ばねが断面Ｕ字を呈し、前記ヘッドバンドの幅方向へ長く延びるものである態様。
（２）前記ばねが断面矩形を呈し、前記ヘッドバンドの幅方向へ長く延びるものである態様。
（３）前記ばねの長さが前記第２の係合歯の長さの１／２以上である態様。
（４）前記ばねのＵ字の内側には、圧縮可能な弾性部材が装入されている態様。
（５）前記Ｕ字を呈するばねは、前記凹部を形成する壁面に形成された孔に挿入して該凹部から抜け出ることを防止する突起が設けられている態様。
【０００８】
【発明の実施の形態】
添付の図面を参照し、この発明に係るフェイスマスクの詳細を説明すると、以下のとおりである。
【０００９】
図１に部分破断斜視図で示されたダイビング用のフェイスマスク１は、一対の前面レンズ２と、スカート３と、スカート３の前端部をレンズ２の周縁部に固定するレンズフレーム４と、マスク着用者の頭部に掛け回すヘッドバンド６と、バンド６の両端部それぞれをフレーム４の側部４Ａに長さ調節可能に連結するバックル７とを有する。図のフレーム４は、仮想線で示される側部カバー８を有するもので、カバー８は着脱可能であり、図ではその側部カバー８が取り外された状態で示されている。バンド６は、ゴムやプラスチックエラストマーなどの柔軟弾性材料で形成されており、マスク着用者の頭部の周り方向へ伸びる長さ方向と、図の上下方向へ延びる幅方向と、これら両方向に直交する厚さ方向とを有し、両端部の一側面には、長さ方向に並び、上下方向へ長く延びる複数の第１の係合歯１２が形成されている。バックル７は、フレーム４の側部４Ａに取り付けられた第１支持部２１と、第１支持部２１に係合軸２９によって旋回可能に軸支された第２支持部２２と、第１、２支持部２１，２２間に介在するばね２３とからなり、第１、２支持部２１と２２とでバンド６を挟持している。バックル７で折り返されているバンド６は、収束具４３によって束ねられている。
【００１０】
図２は、図１のＩＩ−ＩＩ線部分断面図である。バックル７の第１支持部２１は、前端部に形成された円筒状部２４を介してレンズフレーム４の側部４Ａに後方へ長く延びるように取り付けられている。円筒状部２４は、フレーム側部４Ａの透孔２６に外側から嵌合し、円筒状部２４の先端から径方向外方へ延びる一対のストッパー２７がフレーム側部４Ａにマスク１の内側から当接することによって、円筒状部２４の基端部分とストッパー２７とでフレーム側部４Ａを挟持している。第１支持部２１の後端部では、ヘッドバンド６の幅方向へ延びる係合ピン２８にヘッドバンド６が掛け回されている。
【００１１】
バックル７の第２支持部２２は、軸部２９（図１、３を併せて参照）を介して第１支持部２１に旋回可能に支持されている。軸部２９から後方へ延びる第１腕部３１は、その延びた先の部分に指を当てることによって、軸部２９を中心に矢印Ａおよび矢印Ｂ方向へ旋回可能である。第１腕部３１の内面には、第２の係合歯３５が形成されており、第１腕部３１が矢印Ａ方向へ旋回するとヘッドバンド６の第１の係合歯１２に接触することができ、かかる接触によってヘッドバンド６の矢印Ｐで示めされる緩み方向への移動を阻止することができる。軸部２９から前方へ延びる第２腕部３２は、その先端部分３３がばね２３の側面に圧接している。かかる圧接によって、ばね２３は第２支持部２２を矢印Ａ方向へ旋回するように付勢している。
【００１２】
ばね２３は、Ｕ字状断面を有し、そのＵ字を形成している並列した前壁３６と後壁３７とが、第１支持部２１の先端部分を形成する壁３８と第２支持部２２の先端部分３３との間においてフェイスマスクの前後方向において対向して形成され第２支持部２２の外面（図では上面）に開口する凹部Ｇに、Ｕ字の幅を狭くするように弾性変形した状態で圧接している。前壁３６では、前方へ突出する小突起４１が第１支持部２１の壁３８に形成された孔４２に進入して、ばね２３が図の上方へ抜け出ることを防止している。
【００１３】
ヘッドバンド６は、第１の係合歯１２が傾斜した背面１２Ａを有し、ヘッドバンド６が矢印Ｐとは反対の方向へ引張られると、この背面１２Ａで第２支持部２２を矢印Ｂ方向へ旋回させて第２の係合歯３５を第１の係合歯１２から離れるように上昇させ、ヘッドバンド６の締め付け方向への移動が可能になる。第２支持部２２は、第１腕部３１を指先で持つことによっても矢印Ｂ方向へ旋回させることができる。そのようにして旋回させた第２支持部２２と、その第２支持部２２に押圧されて変形したばね２３とが図２に仮想線で示されている。
【００１４】
図３は、バックル７の分解斜視図であり、併せてレンズフレーム４の側部４Ａとその近傍とが図示されている。側部４Ａの透孔２６には、径方向において互いに向き合う一対のストッパー案内溝４６が形成されている。バックル７の第１支持部２１は、フレーム４の側部４Ａに平行な平坦なプレート部４７と、プレート部４７と一体であって後方へ延びる互いに平行な一対の側壁部４８Ａと４８Ｂとを有する。プレート部４７の先端部分には壁３８が形成され、フレーム４の側部４Ａと向かい合う面には円筒状部２４が形成されている。一対の側壁部４８Ａと４８Ｂとの間には係合ピン２８が延びていて、ここには仮想線のようにヘッドバンド６を掛け回すことができる。側壁部４８Ａ，４８Ｂの前部には、円弧状の面を有する軸受部４９が形成されている。
【００１５】
バックル７の第２支持部２２は、図の上下方向へ延びる一対の軸部２９を有し、この軸部２９が矢印Ｍ方向から第１支持部２１の軸受部４９に摺動可能に嵌合する。Ｕ字のばね２３は、図の上下方向、即ちヘッドバンド６の幅方向へ長く延び、好ましくはその長さが第２の係合歯３５の長さの１／２以上、より好ましくは第２の係合歯３５の長さと同程度に形成される。かかるばね２３は、軸部２９が軸受部４９に嵌合したときに、Ｕ字の幅が狭くなるように弾性的に圧縮された状態で第１支持部２１の壁３８と第２支持部２２の先端部分３３との間に矢印Ｑ方向から挿入され、ばね２３の小突起４１が第１支持部２１の孔４２に進入する（図２参照）。ばね２３は、第１、２支持部２１，２２を組み合わせた後に矢印Ｑ方向から、即ちフェイスマスク１の側方から両部２１，２２間に挿入するだけでよく、バックル１の組立ては至極容易である。挿入したばね２３は、孔４２に外から細い棒を入れて突起４１を孔４２から外せば取り出すことができる。
【００１６】
かように組立てられるバックル７は、第１支持部２１のストッパー２７をレンズフレーム４における透孔２６の溝部４６に一致させて、円筒状部２４を透孔２６に挿入したのち、ストッパー２７が仮想線の位置に来るまで矢印Ｓ方向へ回転させる。その回転は、第１支持部２１の下方の側壁部４８Ｂがレンズフレーム４の側部４Ａにおける張り出し部５１（図１を併せて参照）に当接して停止する。かくしてバックル７がレンズフレーム４に取り付けられる。かかるバックル７では、ばね２３がフェイスマスク１の前後方向において第１支持部２１と第２支持部２２との間に位置しており、フェイスマスク１の内外方向（径方向）におけるバックル７の寸法（厚さ）がばね２３の存在によって大きくなるということがない。つまり、バックル７はフェイスマスク着用者の側頭部において外側へ大きく張り出すことがないから、フェイスマスク１の水に対する抵抗はそれだけ小さくなる。
【００１７】
バックル７に掛け回されるヘッドバンド６では第１の係合歯１２の長さがバンド６の幅の１／２以上であり、バックル７において第１の係合歯１２と平行に延びる第２の係合歯３５の長さは第１の係合歯１２のそれと同じであるか、またはそれ以上であることが好ましい。また、第２の係合歯３５と平行に延びるばね２３の長さは第２の係合歯３５の長さの１／２以上であるから、このような第１、２の係合歯１２，３５とばね２３とを有するフェイスマスク１では、ヘッドバンド６に対してばね２３の力を幅広く作用させることができる。
【００１８】
図４は、この発明の実施態様の一例を示す図２と同様な図面である。このフェイスマスク１のバックル７では、フェイスマスク１の内外方向において互いに対向する第１支持部２１の先端部分の外面５３と第２支持部２２の先端部分３３の内面５４との間にフェイスマスクの左右方向に対向して形成され、バックル６の前端面（図では左端面）に開口する凹部Ｇに、横向きになったＵ字のばね２３がその幅を狭くするように圧縮された状態で挿入されている。第２支持部２２は、ばね２３によって軸部２９を中心に矢印Ａ方向へ旋回するように付勢されている。このフェイスマスク１の場合でも、バックル７にばね２３を組み付けるには、重なり合う第１、２支持部２１と２２との間にばね２３をフェイスマスク１の前方から挿入するだけでよいから、バックル７の組み立ては至極容易である。挿入されたばね２３は、小突起４１が第２支持部２２に形成された孔５６に進入するので、第１、２支持部２１，２２の間から抜け出るということがない。
【００１９】
図５もまた、実施態様の一例を示す図４と同様な図面である。このフェイスマスク１に使用されたＵ字のばね２３では、Ｕ字の内側にスポンジなどの圧縮可能な弾性部材５７が装入されている。部材５７があれば、Ｕ字の内側に砂粒などが入らない。
【００２０】
図６もまた、実施態様の一例を示す図２と同様な図面である。このフェイスマスク１のばね２３は、ゴムやプラスッチクエラストマーなどの弾性体からなるもので、ほぼ矩形の断面を有し、ヘッドバンド６の幅方向へ長く延びている。ばね２３は、図の左右方向における厚さが薄くなるように弾性的に圧縮された状態にあり、第２支持部２２を矢印Ａ方向へ旋回させるように付勢している。ばね２３は、第１、２支持部２１，２２間への挿入が容易になるように、図における下端部が円弧を画いている。
【００２１】
この発明において、第１支持部２１は、図示例のようにフレーム４とは別体に形成されることが好ましいものであるが、これをフレーム４と一体的に形成することもできる。バックル７における第１、２支持部２１，２２には硬質プラスチックを使用することができ、ばね２３には硬質プラスチックやプラスチックエラストマー、ゴムなどを使用することができる。Ｕ字のばね２３には、金属を使用することもできる。フェイスマスク１は、ダイビング用のものとして使用できる他に、スキーやモーターバイク用のものとしても使用できる。
【００２２】
【発明の効果】
この発明に係るフェイスマスクでは、バックルが第１支持部と、第１支持部にこれと重なり合うようにして軸支された第２支持部とからなり、第２支持部を旋回させるばねは、フェイスマスクの前方および側方のいずれかから第１支持部と第２支持部との間に挿入するだけでバックルに取り付けることができるから、バックルの組み立て、分解が容易になり、ひいてはフェイスマスクの製造・保守点検が容易になる。フェイスマスクの径方向外方から内方ヘ向かってばねを第１、２支持部間に挿入できる態様のフェイスマスクでは、バックルがフェイスマスク着用者の側頭部で嵩張ることがなく、フェイスマスクの流体に対する抵抗が小さくなる。
【図面の簡単な説明】
【図１】  フェイスマスクの部分分解斜視図。
【図２】  図１のＩＩ−ＩＩ線断面図。
【図３】  バックルの分解斜視図。
【図４】  実施態様の一例を示す図２と同様な図面。
【図５】  実施態様の一例を示す図４と同様な図面。
【図６】  実施態様の一例を示す図２と同様な図面。
【符号の説明】
１      フェイスマスク
２      レンズ
３      スカート
４      レンズフレーム
６      ヘッドバンド
７      バックル
１２      第１の係合歯
２１      第１支持部
２２      第２支持部
２３      ばね
２８      係合ピン
２９      軸部
３１      第１腕部
３２      第２腕部
３３      先端部分
３５      第２の係合歯
３８      先端部分(壁)
５７      弾性部材
Ｇ        凹部
【図１】
0003691327.tif 000002
【図２】
0003691327.tif 000003
【図３】
0003691327.tif 000004
【図４】
0003691327.tif 000005
【図５】
0003691327.tif 000006
【図６】
0003691327.tif 000007